(57)【要約】【課題】ファインダーを覗いている際には画像データを記録媒体へ保存記録していることを警告する為の表示が眩しさを与えず、ファインダーからわずかに視線移動した際には前記警告表示を確実に認識させる電子カメラを提供する。【解決手段】撮像素子と、該撮像素子からの画像データの記録媒体への記録動作が実行中であることを警告する表示部９とを有する電子カメラにおいて、前記表示部をカメラ背面の、電子カメラを保持してファインダー１を覗いている姿勢時には前記表示部にて発せられた光が撮影者の視角内に入りにくく、前記ファインダーからわずかに視線移動することで前記表示部にて発せられた光が撮影者の視角内に入るような位置に配置する。【選択図】図１
2005065003.tif 000002
【特許請求の範囲】
【請求項１】
撮像素子からの画像データの記録媒体への記録動作が実行中であることを警告する表示部を有する電子カメラにおいて、前記表示部をカメラ背面の、電子カメラを保持してファインダーを覗いている姿勢時には前記表示部にて発せられた光が撮影者の視角内に入りにくく、前記ファインダーからわずかに視線移動することで前記表示部にて発せられた光が撮影者の視角内に入るような位置に配置したことを特徴とする電子カメラ。
【請求項２】
前記カメラ背面には撮影に関する各種情報入力を可能にする操作部が配置されており、前記表示部は、前記操作部が配置される前記カメラ背面の第１の面と、該第１の面に隣接し該第１の面より高さの低い第２の面との段差の間の位置に配置され、その高さは、前記第１の面よりも低くかつ前記第２の面よりも高いことを特徴とする請求項１に記載の電子カメラ。
【請求項３】
前記表示部は発した光を視認可能とする複数の発光面を有し、前記複数の発光面は、少なくとも、前記カメラ背面側より視認可能とする発光面と前記記録媒体の挿入部が設けられる面側より視認可能とする発光面であることを特徴とする請求項１又は２に記載の電子カメラ。
【請求項４】
前記表示部が配置される前記第１の面と前記第２の面の間の位置は、前記記録媒体が挿入される前記挿入部寄りの位置であることを特徴とする請求項３に記載の電子カメラ。
【請求項５】
前記表示部は、発光部材と、該発光部材にて発せられた光を外部に導く透明材もしくは略透明材より成る導光部材とにより構成されることを特徴とする請求項１ないし４のいずれかに記載の電子カメラ。
【請求項６】
前記操作部は、スイッチキー部材と、該スイッチキー部材の操作状態を電気信号へ変換するためのスイッチ部材とを有し、前記スイッチ部材と前記表示部の信号端子部は、電子カメラ本体内の配線基板面の同一面上に実装配置されることを特徴とする請求項２ないし５のいずれかに記載の電子カメラ。
【請求項７】
前記スイッチキー部材と前記導光部材とは透明材もしくは略透明な材料によって一体で形成されることを特徴とする請求項６に記載の電子カメラ。
【請求項８】
前記操作部は、複数の選択可能な方向指標を有し、所望の方向指標を操作することで、任意の情報の入力を可能にするものであることを特徴とする請求項６又は７に記載の電子カメラ。
【発明の詳細な説明】
【技術分野】
【０００１】
本発明は、デジタルスチルカメラあるいはビデオカメラ等の、画像データの記録媒体への記録動作が実行中であることを警告する表示部を有する電子カメラに関するものである。
【背景技術】
【０００２】
従来、撮影レンズから入射された被写体像をＣＣＤ等の撮像素子により光電変換し、この光電変換された画像信号をＡ／Ｄ変換して記録媒体に記録し、更に内蔵の液晶モニタで撮像画像の表示を可能とするデジタルカメラが一般的に知られている。このようなカメラでは、画像データは一旦バッファメモリ（ＲＡＭなどの揮発性メモリ）に記憶され、その後、コンパクトフラッシュ（登録商標）カード（ＣＦカード）等の着脱可能な記録メディアへ転送され、保存記録されている。その際、記録メディアの開口部を覆っているカバーを開いて記録動作途中にある記録メディアの取り出しをしてしまい、記録メディア内に保存されたデータを破壊してしまわないように、記録メディアへ画像データが記録されていることをＬＥＤ（発光素子）を点灯表示して撮影者に知らせるように構成されているものが多い。そして、このＬＥＤは、撮影者が記録メディアの挿抜に関する警告であることを直感的に理解し易いように、記録メディアの挿抜用開口部付近に設けられているものが一般的である。
【０００３】
一方、撮影時にはカメラの上部に位置する光学的なファインダーを覗く動作が必要となってくるデジタルスチルカメラを考慮した場合、表示部であるＬＥＤに求められる機能としては、撮影者が撮影時にカメラを保持し、ファインダーを覗いている姿勢状態ではＬＥＤから発光された光が眩しくなく、かつ、撮影後にはわずかな視線移動でＬＥＤからの光を視角内に取入れられるように構成および配置することが望ましい。
【０００４】
上記した観点から本願出願人は、特許文献１にて、記録媒体に画像データの記録動作が実行中であることを表示する表示部を、電子カメラ本体の側面部および背面部にまたがる位置に配置することを提案している。
【特許文献１】特開２００１−２１８０８５号公報
【発明の開示】
【発明が解決しようとする課題】
【０００５】
しかしながら、上記した従来例の如く表示部であるＬＥＤが電子カメラ本体の側面部および背面部にまたがる位置に配置されると、実際には撮影者がカメラを保持し、ファインダーを覗いた姿勢でＬＥＤからの光が眩しくない位置に配置する事の方が優先的な課題となってしまい、そのためＬＥＤは電子カメラ本体の側面部寄りの位置に配置する、もしくは電子カメラ本体の背面方向に対するＬＥＤからの配光特性を低下せざるをえないこととなる。つまり、撮影状態からわずかな視線移動でＬＥＤからの光を視角内に取入れられるようにすることも主たる目的の一つであるが、この際の表示部の視認性の向上については十分に満足できるものではなかった。
【課題を解決するための手段】
【０００６】
上記課題を解決するために、請求項１に記載の発明は、撮像素子からの画像データの記録媒体への記録動作が実行中であることを警告する表示部を有する電子カメラにおいて、前記表示部をカメラ背面の、電子カメラを保持してファインダーを覗いている姿勢時には前記表示部にて発せられた光が撮影者の視角内に入りにくく、前記ファインダーからわずかに視線移動することで前記表示部にて発せられた光が撮影者の視角内に入るような位置に配置した電子カメラとするものである。
【０００７】
また、請求項２に記載の発明は、撮影に関する各種情報入力を可能にする操作部をカメラ背面に有しており、前記表示部を、前記操作部が配置される前記カメラ背面の第１の面と、該第１の面に隣接し該第１の面より高さの低い第２の面との段差の間の位置に配置し、その高さは、前記第１の面よりも低くかつ前記第２の面よりも高くした請求項１に記載の電子カメラとするものである。
【０００８】
また、請求項３に記載の発明は、表示部は発した光を視認可能とする複数の発光面を有しており、前記複数の発光面は、少なくとも、前記カメラ背面側より視認可能とする発光面と前記記録媒体の挿入部が設けられる面側より視認可能とする発光面である請求項１又は２に記載の電子カメラとするものである。
【０００９】
また、請求項４に記載の発明は、表示部が配置される第１の面と第２の面の間の位置は、記録媒体が挿入される挿入部寄りの位置である請求項３に記載の電子カメラとするものである。
【００１０】
また、請求項５に記載の発明は、表示部を、発光部材と、該発光部材にて発せられた光を外部に導く透明材もしくは略透明材より成る導光部材とにより構成した請求項１ないし４のいずれかに記載の電子カメラとするものである。
【００１１】
また、請求項６に記載の発明は、操作部を、スイッチキー部材と、該スイッチキー部材の操作状態を電気信号へ変換するためのスイッチ部材とを有するものとし、前記スイッチ部材と表示部の信号端子部を、電子カメラ本体内の配線基板面の同一面上に実装配置するようにした請求項２ないし５のいずれかに記載の電子カメラとするものである。
【００１２】
また、請求項７に記載の発明は、スイッチキー部材と導光部材とを透明材もしくは略透明な材料によって一体で形成した請求項６に記載の電子カメラとするものである。
【００１３】
また、請求項８に記載の発明は、操作部を、複数の選択可能な方向指標を有するものとし、所望の方向指標を操作することで、任意の情報の入力を可能にする請求項６又は７に記載の電子カメラとするものである。
【発明の効果】
【００１４】
請求項１に記載の発明によれば、ファインダーを覗いている際には画像データを記録媒体へ保存記録していることを警告する為の表示が眩しさを与えず、ファインダーからわずかに視線移動した際には前記警告表示を確実に認識させることのできる電子カメラを提供できるものである。
【００１５】
また、請求項２に記載の発明によれば、表示部は操作部の近傍に配置されているものの、操作部が配置されている第１の面よりも低い位置に配置されているため、操作部の操作性を阻害することがなく、また表示部は第１の面よりも低い第２の面から突出した形で配置されているので、カメラ背面側だけでなくカメラ側面側からも表示部の視認性を向上させることを可能にする電子カメラを提供できるものである。
【００１６】
また、請求項３に記載の発明によれば、表示部の表示面をカメラ背面側の一つの面だけでなく、複数の表示面により構成するので、カメラ背面側以外の、記録媒体の挿入部が設けられる面の方向からも表示部の視認性を向上させることを可能にする電子カメラを提供できるものである。
【００１７】
また、請求項４に記載の発明によれば、表示部を記録媒体を挿入するための挿入部寄りの位置に配置することにより、表示部での表示が記録媒体の挿抜に関する警告であることを撮影者によりわかり易くすることのできる電子カメラを提供できるものである。
【００１８】
また、請求項５に記載の発明によれば、発光部材にて発せられた光を導光部材によって導く構成することにより、発光表示面の形状や色、表面処理等、発光面の配光特性を容易に変更することを可能にすると共に、導光部材を透明もしくは略透明な材料にて構成することにより、発光部材からの光量を効率良く外部発光面へ導くことのできる電子カメラを提供できるものである。
【００１９】
また、請求項６に記載の発明によれば、スイッチ部材と表示部の信号端子部を配線基板面の同一面上に実装配置する構成にすることにより、組立上、部品スペース上からも製造コストの抑制とカメラの小型化を図ることのできる電子カメラを提供できるものである。
また、請求項７に記載の発明によれば、スイッチキー部材と導光部材とを一体で形成することにより、構成する部品点数の増加を抑えることができ、かつ、組立上、部品スペース上からも製造コストの抑制とカメラの小型化を図ることのできる電子カメラを提供できるものである。
【００２０】
また、請求項８に記載の発明によれば、複数の中より所望の方向指標の操作で任意の情報の入力を可能にする構成にすることにより、表示部および背面操作部それぞれを構成する部品点数の増加を抑えることにつながり、組立上、部品スペース上からも製造コストの抑制とカメラの小型化を図ることのできる電子カメラを提供できるものである。
【発明を実施するための最良の形態】
【００２１】
以下の実施例１及び実施例２に示すとおりである。
【実施例１】
【００２２】
図１は本発明の実施例１に係わるデジタルスチルカメラを背面より見た外観斜視図である。図２は図１のデジタルスチルカメラの背面図、図３は同じく図１のデジタルスチルカメラの側面図である。
【００２３】
図１ないし図３において、ファインダー接眼部１は被写体を観察する部材であり、液晶モニタ２は、内蔵するＣＣＤ等の撮像素子で撮影した画像を所定の画像処理回路を通して表示するものである。背面操作部３および上面操作ダイヤル４は、撮影時の露出値等の撮影条件の変更など所定の操作を実行するための操作部材である。レリーズボタン５は、撮影条件決定後に撮影動作を開始するためのものである。グリップ部６は、カメラの右側部が前方に張り出して成り、撮影者が撮影に備えてカメラを把持するためのものである。蓋部材７は、カメラ本体に回動可能に保持されていて、ＣＦカード等の記録メディアを挿抜する時には、ユーザーの操作に従って開閉可能となっている。
【００２４】
外装部材８はカメラ背面部を構成する外装であり、背面操作部３が配置される周囲の面を第１の面８ａとし、第１の面８ａに対して隣接はしているものの該第１の面８ａよりも高さ（突出量）の低い面が第２の面８ｂである。背面操作部３は、本実施例１では複数の選択可能な方向指標を有し、所望の方向指標を操作することで任意の情報の入力を可能とする十字方向スイッチを例にしている。しかしながら、必ずしも背面操作部３が十字方向スイッチによってのみ構成されることに限定するものではなく、例えば、回転式操作のダイヤルスイッチや、任意に配列された押ボタン式スイッチ、ジョイスティック式スイッチ等の操作部材であっても構わない。
【００２５】
表示部９は、記録メディアに画像データの記録動作が実行中である場合にその旨を警告表示するものであり、第１の面８ａと第２の面８ｂとの段差の間に配置されている。つまり、表示部９の表面の突出量は第１の面８ａよりも低くかつ第２の面８ｂよりも高く構成されている。よって、撮影時等のファインダーを覗いている際には画像データを記録メディア（記録媒体）へ保存記録していることの警告表示が撮影者に眩しさを与えず、撮影を終える等してファインダーからわずかに視線移動した際には前記警告表示を確実に認識させることができ、誤って記録動作途中にある記録メディアの取り出しをしてしまい、記録メディア内に保存されたデータを破壊してしまうといった事故の発生を未然に防ぐことができる。
【００２６】
また、表示部９は蓋部材７の開閉操作による記録メディアの挿抜に関する警告であることを直感的に理解し易いように、カメラ背面の蓋部材７寄りの位置に配置している。
【００２７】
図４は、図２のＸ−Ｘ断面図である。同図において、１０はＬＥＤで、カメラ背面を構成する外観部材８に保持されている。ＬＥＤ１０は光をカメラ背面側に出射する１０ａとカメラ側面側に出射する１０ｂの複数の面から構成しており、実施例１では、図４に示す如くＬＥＤ１０が上記の表示部９として機能しており、記録メディアに画像データが記録中であるときには、ＬＥＤ１０の配光特性に従った角度範囲に渡って光を発し、ユーザーに記録メディアを取り出すことのないように警告を行う。１２は撮影者が撮影に備えてカメラを把持するためのものであるタクトスイッチであり、背面操作部３のキー操作を電気信号へ変換するもので、複数のキートップ部の下側に対応した数が配置されている。配線基板１３はハード基板であり、タクトスイッチ１２が実装され、固定ビス１４によって外装部材８に対し内側から締結する構成である。
【００２８】
以上の実施例１によれば、ＬＥＤの発光等による記録メディアに画像データを記録中であることを警告する表示部を、カメラ背面の、電子カメラを保持してファインダーを覗いている姿勢時には前記表示部にて発せられた光が撮影者の視角内に入りにくく（全く入らない場合を含む）、ファインダーからわずかに視線移動することで前記表示部にて発せられた光が撮影者の視角内に入るような位置に配置している。よって、ファインダーを覗いている際には画像データを記録メディアへ保存記録していることを警告する為の表示が撮影者に眩しさを与えず、ファインダーからわずかに視線移動した際には前記警告表示を確実に認識させることが可能となる。
【００２９】
また、カメラ背面の側とカメラ側面の側からも視認することが可能な複数の面（カメラ背面側より視認可能とする発光面（１０ａ）と記録メディアの挿入部が設けられる面側より視認可能とする発光面（１０ｂ））で構成するように配置しているので、形状の自由度が拡大するために表示部の視認可能な範囲が広がり、撮影者は撮影時に保持していた状態からカメラを持ち直したり、あるいは視線を大きく移動させてカメラの側面を観察する必要がなく、例えば、撮影直後にも撮影姿勢を保持したまますぐに表示部を確認し、次の撮影に迅速に移行することができる。更に、表示部はカメラ側面側からも視認することが可能であるため、記録メディアの取り出しの際に、撮影者がカメラ側面側からカメラに目を向ける場合でも、記録メディアへの画像記録動作中であることが容易に確認可能であることから、誤って記録動作途中にある記録メディアの取り出しをしてしまい、記録メディア内に保存されたデータを破壊してしまうといった事故の発生を防ぐこともできる。
また、表示部が配置される背面操作部３を、複数の選択可能な方向指標を有し、所望の方向指標を操作することで任意の情報の入力を可能とする十字方向スイッチで構成することで、表示部および背面操作部のそれぞれを構成する部品点数の増加を抑えることとなり、組立上、部品スペース上からも製造コストの抑制とカメラの小型化を図ることが可能となる。
【００３０】
さらに、カメラ背面側に警告を表す表示部を配置する構造の場合、ファインダーを覗く目とは反対の目に強い光が飛びこんで、撮影者に悪影響を及ぼす危惧がある。そのため、表示部としてはファインダー接眼の光軸中心に対し水平線上の近傍、または垂直線上の近傍を回避した配置にすることが望ましく、上記実施例１における表示部の位置としては、その点についても考慮した位置としている。
【実施例２】
【００３１】
図５および図６は本発明の実施例２に係わるデジタルカメラの主要部分の構成を示す図であり、詳しくは図５は上記図４に相当する（図２のＸ−Ｘ断面に相当する）部分の断面図、図６はその部分の背面斜視図（但し、外装部材８については断面で示している）である。上記図１〜図４と同じ構成要素については同一符号を付してある。
【００３２】
本発明の実施例２においては、小型のＬＥＤ１０はカメラ本体内に設けられた配線基板１３上に実装されている。導光部材１１は、ポリカーボネートやアクリル等の略透明な樹脂部材で構成され、ＬＥＤ１０の光をカメラ外へ導き出すためのもので、この実施例２では導光部材１１がＬＥＤ１０とともに表示部９として機能し、記録メディアに画像データが記録されている場合、ＬＥＤ１０の点灯に従って導光部材１１のカメラ背面側の面１１ａから光が出射されて、使用者に画像データの記録動作中に記録メディアを取り出すことのないように警告を行う。また、カメラ側面側の斜面１１ｂはカメラの側面からも観察できる角度を持ったものであるため、ユーザーはカメラ側面方向からもＬＥＤの点灯状態を見ることができる。また、導光部材１１は本実施例２においては、背面操作部３のスイッチキートップ部と一体の部品として構成している。撮影者が操作を行うキートップ部分については、機能上透明色である必要がない場合は、例えば導光部材として使用する部分をマスキング処理し、その他の部分を塗装処理することで解決することが可能である。また、樹脂材料色の異なった材料による成形方法等によって色分けすることも可能である。
１２は背面操作部３のキー操作を電気信号へ変換するタクトスイッチであり、複数のキートップ部の下側に対応した数が配置されている。配線基板１３はハード基板であり、ＬＥＤ１０とタクトスイッチ１２が同一面上に実装され、固定ビス１４によって外装部材８に対し内側から締結する構成である。
【００３３】
以上の実施例２によれば、表示部の構成要素である導光部材１１と背面操作部３を構成するキートップ部材を一体に構成し、かつＬＥＤ１０の信号端子部と背面操作部３の構成要素であるタクトスイッチを同一の配線基板上に配置することで、それぞれを構成する部品点数の増加を抑えることとなり、組立上、部品スペース上からも製造コストの抑制とカメラの小型化を図ることが出来る。
【００３４】
その他の効果は上記実施例１と同様である。
【００３５】
なお、各実施例では、記録メディアの挿抜方向をカメラ背面に沿った方向で、カメラ側面より挿抜する構成であるが、この方向、位置に限るものではない。
【図面の簡単な説明】
【００３６】
【図１】本発明の実施例１に係わるデジタルカメラの外観斜視図である。
【図２】本発明の実施例１に係わるデジタルカメラの背面図である。
【図３】本発明の実施例１に係わるデジタルカメラの側面図である。
【図４】図２のＸ−Ｘ断面図である。
【図５】本発明の実施例２に係わるデジタルカメラの背面側の主要部分の断面図である。
【図６】本発明の実施例２に係わるデジタルカメラの背面側の主要部分を示す斜視図である。
【符号の説明】
【００３７】
１   ファインダー接眼部
２   液晶モニタ
３   背面操作部
４   上面操作ダイヤル
５   レリーズボタン
６   グリップ部
７   蓋部材
８    外装部材
８ａ 外装部材の第１の面
８ｂ 外装部材の第２の面
９    表示部
１０ ＬＥＤ
１１ 光導部材
１２ タクトスイッチ
１３ 配線基板
１４ 固定ビス
【図１】
2005065003.tif 000003
【図２】
2005065003.tif 000004
【図３】
2005065003.tif 000005
【図４】
2005065003.tif 000006
【図５】
2005065003.tif 000007
【図６】
2005065003.tif 000008